(57)【特許請求の範囲】
【請求項１】
遊技球を貯留する貯留部を画成する皿本体と、前記貯留部に開口するように設けられ、遊技球を打ち出す球発射装置に繋がる球送り口と、前記貯留部に開口するように設けられ、該貯留部から遊技球を１個ずつ案内して排出する球抜き路に繋がる球抜き口と、該球抜き口を塞ぐ閉成位置および該球抜き口を開放する開放位置の間でスライド変位する開閉部材とを備えた遊技機において、
前記球抜き路は、前記球抜き口に臨む部位から閉成位置の前記開閉部材を越えて該開閉部材の変位方向に沿って延在するよう横引きされ、開閉部材の開放位置から閉成位置に向かう変位方向前側を開放するように設けられた第１流路と、この第１流路の下流に交差するよう接続され、遊技球を下方へ案内するよう縦引きされた第２流路とを備え、
前記開閉部材は、開放位置から閉成位置にスライド変位する際に、前記第１流路における前記球抜き口の下方に臨む底面で受けた遊技球の中央部を第１流路の下流側に押し得るよう構成され、
閉成位置にある前記開閉部材の下流側に遊技球が２個並ばないように設定された前記第１流路から前記第２流路に遊技球を流下させるよう構成された
ことを特徴とする遊技機。
【請求項２】
前記第１流路の上面を構成すると共に前記第２流路の一側面を構成する通路壁部は、該第１流路および第２流路の交差部で流路側が凹になるように湾曲形成される請求項１記載の遊技機。
【請求項３】
前記球抜き路は、第２流路の下流に交差するように接続され、横引きされた第３流路を備え、前記第１流路と第３流路との間に段差が設けられた請求項１または２記載の遊技機。
【請求項４】
前記球送り口は、上下方向に開口する前記球抜き口と隣り合わせて前後方向に開口するよう設けられ、
前記開閉部材は、前記閉成位置で遊技球を前記球送り口に向けて案内するように、上面が傾斜形成されると共に、前記開放位置から前記閉成位置に向かう変位方向前側の上縁部が、開放位置側から閉成位置側に向かうにつれて下方傾斜するように形成された請求項１〜３の何れか一項に記載の遊技機。
【発明の詳細な説明】
【技術分野】
【０００１】
この発明は、遊技球を貯留する球皿を有する遊技機に関するものである。
【背景技術】
【０００２】
遊技機の代表例の一つである一般的なパチンコ機では、ゲーム開始操作に基づく打球発射装置と球送り装置との関連作動において、上球受け皿(上球皿)内の遊技球を１球ずつ機内の発射部位に送込み、これを遊技盤に打出してゲームを遂行し得るようになっている。そして、ゲーム中に発生したセーフ球に対する褒賞として、機裏側の機構セット盤に配設した賞球排出部から所定数のパチンコ球(賞球ともいう)が排出されるようになっている。このためパチンコ機は、パチンコ球の受入れおよび貯留に必要とされる球受け部材として、機体前面の中央において貯留・送出用として設置される上球皿と、下端部において貯留用として設置される下球受け皿(下球皿)とを備えている。
【０００３】
前記上球皿には、遊技者が適時必要に応じて指先で開放操作し得る球抜き装置が付設されている。球抜き装置は、各メーカ毎のパチンコ機において設置部位や形式等に差異があっても、その基本的な形態としては、上球皿の外郭体に露出されている操作部材の操作に伴い開閉弁部材が開放変位されることにより、上球皿の下流端の球抜き口と球抜き路が互いに連通されて、上球皿に貯留したパチンコ球を下球皿側へ抜き出し得るようになっている。具体的には、上球皿の底部には、球抜き口が上下方向に開口するように設けられ、該底部が球抜き口へ向けてパチンコ球を案内するように傾斜形成されている。また、球抜き路は、球抜き口の左右の開口縁に連ねて上下方向に延在する一対の側壁で画成される縦通路部を備えており、開閉弁部材を開放変位することで、上球皿に貯留されたパチンコ球が球抜き口から垂直に落下するようになっている。また、上球皿には、球送出口が球抜き口より上球皿によるパチンコ球の案内方向下流端側に隣接して設けられ、開閉弁部材で球抜き口を閉じた状態で上球皿のパチンコ球が球送り口に案内される。ここで、開閉弁部材は、球抜き路の縦通路部の側壁に対して一側縁を突き合わせることで球抜き口を塞ぎ、当該側壁から離間するように左右方向にスライド変位することで縦通路部から退避するようになっている。
【先行技術文献】
【特許文献】
【０００４】
【特許文献１】特開平１１−３３３１０１号公報
【発明の概要】
【発明が解決しようとする課題】
【０００５】
前述した上球皿では、球抜き口を開放していた開閉弁部材を閉成変位した際に、縦通路部の側壁または球抜き口と開閉弁部材との間にパチンコ球が挟まることがある。この場合、上球皿において球送り口が球抜き口の下流側に配置されているので、球送り口に詰まったパチンコ球によって、球送り口へのパチンコ球の円滑な案内が妨げられたり、パチンコ球が詰まったりする等の問題が生じる。
【０００６】
すなわち本発明は、従来の技術に係る遊技機に内在する前記問題に鑑み、これらを好適に解決するべく提案されたものであって、球抜き口での球詰まりを抑えることができる遊技機を提供することを目的とする。
【課題を解決するための手段】
【０００７】
前記課題を克服し、所期の目的を達成するため、本願の請求項１に係る発明の遊技機は、
遊技球(B)を貯留する貯留部(52a)を画成する皿本体(52)と、前記貯留部(52a)に開口するように設けられ、遊技球(B)を打ち出す球発射装置(22)に繋がる球送り口(36)と、前記貯留部(52a)に開口するように設けられ、該貯留部(52a)から遊技球(B)を１個ずつ案内して排出する球抜き路(70)に繋がる球抜き口(54)と、該球抜き口(54)を塞ぐ閉成位置および該球抜き口(54)を開放する開放位置の間でスライド変位する開閉部材(62)とを備えた遊技機において、
前記球抜き路(70)は、前記球抜き口(54)に臨む部位から閉成位置の前記開閉部材(62)を越えて該開閉部材(62)の変位方向に沿って延在するよう横引きされ、開閉部材(62)の開放位置から閉成位置に向かう変位方向前側を開放するように設けられた第１流路(70a)と、この第１流路(70a)の下流に交差するよう接続され、遊技球(B)を下方へ案内するよう縦引きされた第２流路(70b)とを備え、
前記開閉部材(62)は、開放位置から閉成位置にスライド変位する際に、前記第１流路(70a)における前記球抜き口(54)の下方に臨む底面で受けた遊技球(B)の中央部を第１流路(70a)の下流側に押し得るよう構成され、
閉成位置にある前記開閉部材(62)の下流側に遊技球(B)が２個並ばないように設定された前記第１流路(70a)から前記第２流路(70b)に遊技球(B)を流下させるよう構成されたことを要旨とする。
請求項１に係る発明によれば、球抜き路における球抜き口に繋がる流路を、開閉部材の閉成位置に向けた変位方向前側を開放するように形成したので、開閉部材を閉成する際に、流路に落ち込んだ遊技球が閉成位置に向かう開閉部材によって押されて該流路の下流側に案内される。すなわち、開閉部材の挟み込みによる球抜き口での遊技球の詰まりを抑えることができる。
【０００８】
請求項２に係る発明では、前記第１流路(70a)の上面を構成すると共に前記第２流路(70b)の一側面を構成する通路壁部(72)は、該第１流路(70a)および第２流路(70b)の交差部で流路側が凹になるように湾曲形成されることを要旨とする。
【０００９】
請求項３に係る発明では、前記球抜き路(70)は、第２流路(70b)の下流に交差するように接続され、横引きされた第３流路(70c)を備え、前記第１流路(70a)と第３流路(70c)との間に段差が設けられたことを要旨とする。
【００１０】
請求項４に係る発明では、前記球送り口(36)は、上下方向に開口する前記球抜き口(54)と隣り合わせて前後方向に開口するよう設けられ、
前記開閉部材(62)は、前記閉成位置で遊技球(B)を前記球送り口(36)に向けて案内するように、上面が傾斜形成されると共に、前記開放位置から前記閉成位置に向かう変位方向前側の上縁部が、開放位置側から閉成位置側に向かうにつれて下方傾斜するように形成されたことを要旨とする。
請求項４に係る発明によれば、球抜き口での遊技球の詰まりを抑えることができる構成であるので、球抜き口と球送り口とを隣接させて設けることができ、球抜き口を塞ぐ開閉部材を利用して貯留部の遊技球を球送り口へ円滑に案内することができる。
また、開閉部材の上縁部を傾斜形成してテーパ形状とすることで、遊技球をより挟み難くすることができる。
【発明の効果】
【００１１】
本発明に係る遊技機によれば、球抜き口での球詰まりを抑えることができる。
【図面の簡単な説明】
【００１２】
【図１】本発明の好適な実施例に係るパチンコ機を示す正面図である。
【図２】実施例のパチンコ機において前枠を開放した状態を示す斜視図であって、前枠の後側および中枠の前側を示す。
【図３】実施例の前枠を示す斜視図であって、皿カバー部材および操作部ベースを分解した状態を示す。
【図４】実施例の上球皿を後側から示す斜視図である。
【図５】(ａ)は、実施例の上球皿を前側から示す分解斜視図であり、(ｂ)は、開閉部材を後側から示す斜視図である。
【図６】図１のＡ−Ａ線断面図である。
【図７】図１のＢ−Ｂ線断面図である。
【図８】実施例の前枠ベースを示す正面図である。
【図９】実施例の球抜き路を示す説明断面図である。
【図１０】実施例の球抜き路を示す要部説明図であって、(ａ)は開閉部材が閉成位置にあり、(ｂ)は開閉部材が開放位置にあり、(ｃ)は開閉部材を開放位置から閉成位置に戻す状態を示す。
【発明を実施するための形態】
【００１３】
次に、本発明に係る遊技機につき、好適な実施例を挙げて、添付図面を参照して以下に説明する。なお実施例では、遊技球としてのパチンコ球を使用して遊技を行うパチンコ機について説明する。また、以下の説明において前・後および左・右とは、特に断りのない限り、遊技機を正面側(遊技者側)から見た場合において指称するものとする。
【実施例】
【００１４】
図１に示すように、実施例に係るパチンコ機１０は、矩形枠状に形成されて遊技店の図示しない設置枠台に固定される固定枠としての外枠１２の開口前面側に、遊技盤２８が着脱可能に保持された本体枠としての中枠２０が開閉および着脱可能に組み付けられている。中枠２０の前面側には、遊技盤２８を透視保護するガラス板３１を備えた装飾枠としての前枠３０が開閉可能に組み付けられると共に、前枠３０の下方にパチンコ球Ｂ(図１０参照)を貯留する下球皿４０が開閉可能に組み付けられる。そして、前枠３０の下部には、下球皿４０の上側に位置して、パチンコ球Ｂを貯留する上球皿５０が組み付けられており、前枠３０の開閉に合わせて上球皿５０も一体的に開閉するよう構成される。また、中枠２０には、下球皿４０の右側に位置するように回動操作可能なハンドル部材２１が配設されており、該ハンドル部材２１の回動操作によって中枠２０の下部に設けられた球発射装置２２により上球皿５０に貯留したパチンコ球Ｂが遊技盤２８の遊技領域に向けて打ち出されるようになっている。
【００１５】
図２および図３に示すように、前記前枠３０は、中枠２０に保持された遊技盤２８が後側に臨む遊技盤窓口３０ａを画成する枠状の部材であって、この遊技盤窓口３０ａを後側から塞ぐようにガラス板３１が着脱可能に組み付けられている。前枠３０は、遊技盤窓口３０ａの周りを装飾する飾りや発光装置が配設された合成樹脂製の前枠ベース３４と、この前枠ベース３４の後側に配設され、ガラス板３１を着脱可能に保持するガラス保持部３９が設けられた金属製の前枠補強板３８(図２参照)とから基本的に構成されている。前枠３０には、前後に連通するよう形成された払出口３０ｂが、遊技盤窓口３０ａの下側に左側に偏倚して設けられ(図８参照)、前枠３０の閉鎖時に払出口３０ｂから後方に突出する球受け部３０ｃが中枠２０の挿入口２５に差し込まれて、中枠２０の下部に設けられた球通出案内部２４に連通されている。また、前枠３０には、前後に連通するよう形成された球送り口３６が、遊技盤窓口３０ａの下側略中央部に設けられ(図８参照)、該球送り口３６が該前枠ベース３４の後側に設けられた球送り装置３５を介して中枠２０の下部に設けられた球発射装置２２に接続されている。
【００１６】
前記前枠３０には、上球皿５０が遊技盤窓口３０ａの下側に位置して前枠ベース３４の下部前面に設けられ、払出口３０ｂおよび球送り口３６が上球皿５０の内側に臨むようになっている(図７参照)。図３に示すように、上球皿５０は、前枠ベース３４の前面下部に配設されてパチンコ球Ｂを貯留する貯留部５２ａを画成し、内側に球送り口３６が開口する皿本体５２と、前枠ベース３４の前面に配設され、皿本体５２の前側を覆う皿カバー部材８０とを備えている。また、上球皿５０では、貯留部５２ａに開口するように設けられた球送り口３６よりも該貯留部５２ａに開口する球抜き口５４からパチンコ球Ｂが先に排出されるよう構成されている。そして、上球皿５０には、球抜き口５４を開閉する開閉部材６２を備えた球抜き機構６０が設けられ(図３または図５参照)、球抜き機構６０の操作によって、球抜き口５４に繋がる球抜き路７０を介して貯留部５２ａから下球皿４０へパチンコ球Ｂを放出し得るよう構成されている(図９参照)。更に、上球皿５０には、遊技盤２８に設けられる図柄表示装置や可動体等の演出手段(何れも図示せず)による演出に合わせて操作されるチャンスボタン等と呼ばれる演出操作部８２や、貸し球を払い出す球払出装置を操作する球貸し操作部８４や、パチンコ機１０に併設された球貸しユニット(図示せず)を操作する返却操作部８５が上面に設けられている(図４参照)。ここで、演出操作部８２および球貸し操作部８４は、前枠ベース３４、皿本体５２および皿カバー部材８０に着脱可能に保持されて上球皿５０における上面の一部をなす操作部ベース８６に設置され、この操作部ベースを介して共通ユニットとして取扱い可能となっている(図４参照)。
【００１７】
前記皿本体５２は、貯留部５２ａの底をなす底壁５５ａの前および左右の縁部に立設した壁５５ｂ,５５ｃ,５５ｄによって囲われ(図４参照)、上方および後方が開放した箱状に形成された皿状部５５と、この皿状部５５と一体的に形成され、球抜き機構６０の後述する構成部材６５,６６,６８が設置される機構設置部５８とを備えている(図５参照)。皿本体５５は、皿状部５５の後縁を前枠ベース３４の前面に突き当てて取り付けられ、前枠ベース３４の前面から前方へ張り出すように設置された皿状部５５と該前枠ベース３４との間にパチンコ球Ｂが貯留される貯留部５２ａが画成される(図６参照)。皿状部５５は、前枠ベース３４の左側に開口する払出口３０ｂから前枠ベース３４の中央部(実施例では左右中央から僅かに右側に偏倚した部位)に開口する球送り口３６の前側を覆うように設置され(図９参照)、払出口３０ｂおよび球送り口３６が左右方向に離間して貯留部５２ａに連通するようになっている。また、皿状部５５は、貯留部５２ａに開口するように設けられ、該貯留部５２ａからパチンコ球Ｂを下球皿４０に向けて排出する球抜き路７０に繋がる球抜き口５４を備え、この球抜き口５４は、球抜き機構６０の開閉部材６２によって開閉される。球送り口３６および球抜き口５４は、貯留部５２ａにおいて払出口３０ｂから離して配置され、貯留部５２ａの左側に開口する払出口３０ｂに対して、球送り口３６および球抜き口５４が貯留部５２ａの右側に設けられている。なお、皿本体５２は、前枠３０の後側から螺挿したネジにより前枠ベース３４に対して固定されている。
【００１８】
前記皿状部５５には、貯留部５２ａに貯留したパチンコ球Ｂを一列に整列させる球整列案内部５６が設けられ、この球整列案内部５６は、払出口３０ｂ側(左側)から球送り口３６および球抜き口５４(左側)に向けてパチンコ球Ｂを案内するよう構成される。球整列案内部５６は、皿状部５５の後縁からパチンコ球Ｂが１個並ぶ幅で設けられ、該球整列案内部５６の底面なす底壁５５ａが左側(払出口３０ｂ側)から右側(球抜き口５４側)に向けて下方傾斜する傾斜路になっている(図４参照)。球整列案内部５６は、貯留部５２ａの後部において左右方向に延在するように形成されており、傾斜下端部(案内下流端部)に上下方向に連通するように球抜き口５４が設けられている。皿状部５５は、払出口３０ｂ側となる左側部分が前枠ベース３４の前面から大きく張り出しているのに対して、球抜き口５４が設けられた右側部分に向けて窄まるように形成されている(図４または図６参照)。これにより、上球皿５０では、球整列案内部５６の案内下流端側を構成する皿状部５５の前壁５５ｂと前枠ベース３４の前面との前後間隔が、パチンコ球Ｂを１個ずつの通過を許容する幅に設定されている。このように、球整列案内部５６は、案内方向上流端側が貯留部５２ａにおける広い部分に臨み、案内方向下流端側に向かうにつれてパチンコ球Ｂが１個ずつ並ぶように誘導するようになっている。なお、本願において「パチンコ球Ｂを１個ずつの通過を許容する幅」とは、パチンコ球Ｂの直径以上の寸法であって、パチンコ球Ｂの直径の２倍より小さい寸法をいう。
【００１９】
前記皿状部５５は、前壁５５ｂの右側後面に後方へ延出形成された上部案内片５６ａを備えており、この上部案内片５６ａが金属片５７の上側に延在して球整列案内部５６の案内下流端側において上側の誘導面を構成している(図４参照)。上部案内片５６ａは、左側から右側に向かうにつれて球整列案内部５６の底面を構成する金属片５７に近づくように傾斜形成されており、球抜き口５４の上流側開口縁において球整列案内部５６の上下間隔が、パチンコ球Ｂを１個ずつの通過を許容する幅になるよう設定されている。上部案内片５６ａは、球抜き口５４の開口面に相対する部位が、左側から右側に向かうにつれて下方傾斜するよう形成され、球整列案内部５６で案内されて流下したパチンコ球Ｂを球抜き口５４に向けて誘導するようになっている。なお、皿状部５５は、貯留部５２ａに貯留されたパチンコ球Ｂが球整列案内部５６に向けて案内されるように、底壁５５ａに傾斜が付されている。
【００２０】
前記上部案内片５６ａは、皿状部５５において前壁５５ｂが前枠ベース３４に近接するように窄まって球整列案内部５６の案内下流端側を構成する部位に設けられている(図４または図６参照)。上部案内片５６ａは、前壁５５ｂと前枠ベース３４との前後間隔よりも後方への延出寸法が短く形成され、前枠ベース３４の前面から上部案内片５６ａの後端が離間するようになっている(図６参照)。なお、上部案内片５６ａと前枠ベース３４との離間間隔は、パチンコ球１個分より小さく設定されている。そして、上球皿５０では、上部案内片５６ａと前枠ベース３４との間の隙間から球整列案内部５６で誘導されたパチンコ球Ｂや、球抜き口５４や、該球抜き口５４を塞ぐ開閉部材６２を上方から確認することができ、球整列案内部５６の案内下流端側で仮にパチンコ球Ｂが詰まっても該隙間を介してパチンコ球Ｂにアクセスすることができる。
【００２１】
前記球整列案内部５６を構成する皿状部５５の底壁５５ａは、該球整列案内部５６に沿って左右方向に延在する導電性を有する鉄等の金属片５７で上面が被覆されている(図４参照)。皿本体５２の後縁には、球整列案内部５６の案内方向上流端側に位置して、後方へ突出する接続突片５２ｂが設けられ、この接続突片５２ｂの上面および後面についても前記金属片５７で覆われている。接続突片５２ｂは、皿本体５２の後縁を前枠ベース３４の前面に突き合わせて取り付けた際に、前枠ベース３４に前後に貫通形成された接続通口３４ａに挿入され、金属片５７が前枠補強板３８に当接するよう構成される。すなわち、金属片５７と金属製の前枠補強板３８とが電気的に接続され、球整列案内部５６に並んだパチンコ球Ｂから金属片５７で除去した静電気が、金属片５７から前枠補強板３８を介して外部に逃されるようになっている。
【００２２】
前記球抜き口５４は、球整列案内部５６の下流端部を構成する皿状部５５の底壁５５ａ、皿状部５５の前壁５５ｂおよび皿状部５５の右壁５５ｄで前および左右の開口縁が構成され(図４参照)、前枠ベース３４の前面によって後側の開口縁が画成されるようになっている。また、球抜き口５４は、上下方向に開口する略矩形状に形成され、パチンコ球Ｂ１個ずつの通過を許容するように設定されている。球送り口３６は、球抜き口５４を隣り合わせて前枠ベース３４に前後に開口するように形成されている(図７または図８参照)。球送り口３６は、球抜き口５４と左右方向に一致した位置で前後に開口するように前枠３０に形成されており、球抜き口５４と前後に繋がるように設けられている(図９または図１０参照)。そして、球送り口３６には、球抜き口５４を閉成した球抜き機構６０の開閉部材６２によってパチンコ球Ｂが送り込まれるようになっている(図１０(ａ)参照)。実施例では、閉成時の開閉部材６２が球整列案内部５６の一部を構成し、球送り口３６に対してパチンコ球Ｂを１個ずつ誘導するようになっている。皿状部５５には、前壁５５ｂと右壁５５ｄとがなす隅部に、前壁５５ｂと右壁５５ｄとの間に斜めに延在する隅部案内片５６ｂが上下に離間して２条設けられ、当該隅部案内片５６ｂによって球整列案内部５６に左右に並んだパチンコ球Ｂを後方の球送り口３６に向けて誘導している。このように、上球皿５０は、球抜き機構６０の開閉部材６２の開閉によって貯留部５２ａに貯留されたパチンコ球Ｂの送り先を切り替える構成であって、開閉部材６２で球抜き口５４を閉成することで球送り口３６からパチンコ球Ｂが送り出され(図１０(ａ)参照)、開閉部材６２を開放することで球送り口３６の上流側に位置する球抜き口５４から優先してパチンコ球Ｂが送り出される。
【００２３】
前記上球皿５０には、皿カバー部材８０の前面に設けた球抜きボタン６４の操作により開閉部材６２を開閉動作させる球抜き機構６０が設けられている(図５参照)。球抜き機構６０は、皿カバー部材８０の前面を構成する前壁部に前後方向に変位可能に保持された球抜きボタン６４と、球抜き口５４を塞ぐ閉成位置(図１０(ａ)参照)および球抜き口５４を開放する開放位置(図１０(ｂ)参照)の間で変位する開閉部材６２と、球抜きボタン６４および開閉部材６２の間を繋ぐリンク手段６５,６６と、開閉部材６２の閉成位置とするようにリンク手段６５,６６を付勢する弾性部材６７とから基本的に構成されている。リンク手段６５,６６は、皿本体５２において皿状部５５の右側に設けられた機構設置部５８の前面に設けられている(図３参照)。実施例のリンク手段は、球抜きボタン６４に連係する第１リンク部材６５と、この第１リンク部材６５および開閉部材６２を連係させる第２リンク部材６６とから構成されている(図５参照)。第１リンク部材６５は、球抜きボタン６４において皿カバー部材８０の後側に突出する後端に臨む前板片６５ａと、この前板片６５ａの左側端から後方に延在する側板片６５ｂとからなる略Ｌ字状の部分を基本とし、前板片６５ａの下端と側板片６５ｂの下端との間に下板片６５ｃが架設されている。第１リンク部材６５は、機構設置部５８の前面に上下に離間して前方に突出形成された一対の受台部５９,５９に対して、前板片６５ａと側板片６５ｂとの交差部位に設けた支軸が揺動可能に支持されている。第１リンク部材６５は、前板片６５ａの前後変位に応じて側板片６５ｂが左右方向へ変位すると共に、側板片６５ｂの左右変位に応じて前板片６５ａが前後方向へ変位するようになっている。第２リンク部材６６は、機構設置部５８の前面に左右方向にスライド変位可能に配設された板状の部材であって、右端が第１リンク部材６５の側板片６５ｂの後部左面に臨んでいる。そして、リンク手段６５,６６は、受台部５９に支持された第１リンク部材６５の支軸の前側および第２リンク部材６６の前側がリンク保持部材６８で保持されている。
【００２４】
前記弾性部材６７は、リンク保持部材６８の左端から左方へ突き出た第２リンク部材６６の左端とリンク保持部材６８の左端との間に架け渡され(図５参照)、第２リンク部材６６の左端をリンク保持部材６８の左端側に近付けた状態が自然長になるように設定されている。弾性部材６７は、開閉部材を閉成位置に保持するように付勢し得るものであれば、コイルばね、トーションばね等のばねやその他のものを採用可能であり、実施例ではコイルばねが用いられている。
【００２５】
前記開閉部材６２は、第２リンク部材６６の左端下部に後方に突出するよう一体形成され、皿本体５２の後側に延出するよう構成されている(図４参照)。なお、皿本体５２には、開閉部材６２の変位経路に重なる部位に切欠部５２ｃが形成されている(図５参照)。開閉部材６２は、板面を上下に臨ませた(厚み方向が上下に沿う)舌片状に形成され、その左右寸法が球抜き口５４の左右寸法と略同一に設定されている。また、開閉部材６２は、皿本体５２の後縁より後方へ突出するように形成され、前枠ベース３４における球送り口３６の下部および該球送り口３６に連通形成された変位開口３７に、皿本体５２の後縁を越える後端部が挿入されるようになっている(図７参照)。開閉部材６２は、第２リンク部材６６の左右方向のスライド変位に伴ってパチンコ機の左右方向にスライド変位するように設けられ、閉成位置において球抜き口５４の開口面の下側に位置すると共に(図１０(ａ)参照)、後端部が球抜き口５４の後方に開口する球送り口３６の下部に位置している。このように、閉成位置にある開閉部材６２は、球抜き口５４の下方に接続された球抜き路７０において該球抜き口５４に臨む上流端に位置しており、弾性部材６７の付勢によって当該位置で保持されている。
【００２６】
前記開閉部材６２は、閉成位置で球抜き口５４に臨む上面が、前側から後側に向かうにつれて下方傾斜するように形成され(図４参照)、閉成位置にある開閉部材６２の上面によって球抜き口５４に到来したパチンコ球Ｂを球送り口３６に向けて案内するように構成されている。また、開閉部材６２は、開放位置から閉成位置に向かう変位方向前側の上縁部が開放位置側から閉成位置側に向かうにつれて下方傾斜するように形成されている(図１０参照)。すなわち、開閉部材６２は、右側の上縁部にテーパ面６２ａを備えている。そして、開閉部材６２は、閉成位置から左方へ変位する開放位置において、皿状部５５の底壁５５ａの下方へ退避して球抜き口５４を開放すると共に、後端部が球送り口３６の左側に延在する変位開口３７に受け入れられている(図１０(ｂ)参照)。
【００２７】
前記球抜き機構６０は、球抜きボタン６４を後方へ押すことで後方へ変位した第１リンク部材６５の前板片６５ａに伴って側板片６５ｂが左方へスライド変位し、この側板片６５ｂに押されて第２リンク部材６６が弾性部材６７の付勢に抗して左方へ変位する。これにより、開閉部材６２は、球抜き口５４を塞いでいた閉成位置から皿状部５５の底壁５５ａの下方の開放位置に変位し、球抜き路７０の上流端から退避すると共に球抜き口５４を開放する。また、球抜き機構６０は、球抜きボタン６４の押圧状態を解除することで、弾性部材６７の復帰弾力によって、第２リンク部材６６が右方へスライド変位され、これに伴い開閉部材６２が開放位置から閉成位置に戻ると共に、第２リンク部材６６に押された第１リンク部材６５の側板片６５ｂの右方変位により前方に変位した前板片６５ａに押されて球抜きボタン６４が復帰する。このように、球抜き機構６０は、球抜きボタン６４を押圧操作していない通常状態で、開閉部材６２を閉成位置で保持するように構成されている。
【００２８】
前記球抜き路７０は、球抜き口５４に繋がると共に上球皿５０の下方に設けられた下球皿４０に向けて球抜き口５４から受け入れたパチンコ球Ｂを１個ずつ案内するよう形成されている(図１０参照)。球抜き路７０は、前枠ベース３４の前面と、前枠ベース３４の前面に設けられた対をなす通路壁部７２,７４と(図８または図９参照)、対をなす通路壁部７２,７４間の前側を覆う皿本体５２の機構設置部５８の後面とによって画成されている。球抜き路７０は、左右方向に延在する横引きの流路７０ａ,７０ｃにおいて上面を構成すると共に上下方向に延在する縦引きの流路７０ｂ,７０ｄにおいて右側面を構成する第１通路壁部７２と、この第１通路壁部７２に対向配置され、横引きの流路７０ａ,７０ｃにおいて下面を構成すると共に縦引きの流路７０ｂ,７０ｄにおいて左側面を構成する第２通路壁部７４とによって流下方向が規定される。なお、第１通路壁部７２および第２通路壁部７４は、曲がり部分以外の直線部分で互いに平行に延在するよう形成されている。実施例の球抜き路７０は、球抜き口５４の下方から右方へ横引きされた第１流路７０ａと、この第１流路７０ａの下流に交差するように接続され、斜め下方へ縦引きされた第２流路７０ｂと、この第２流路７０ｂの下流に交差するように接続され、右方へ横引きされた第３流路７０ｃと、この第３流路７０ｃの下流に交差するように接続され、下方へ垂下した第４流路７０ｄとを備えている。なお、第１流路７０ａおよび第３流路７０ｃには、パチンコ球Ｂを案内し得るように、下球皿４０側に向けて下方傾斜が付されている。ここで、「横引き」とは、流路の上下方向の変位成分と比べて左右方向の変位成分が大きいことをいい、「縦引き」とは、流路の左右方向の変位成分と比べて上下方向の変位成分が大きいことをいう。球抜き路７０は、第４流路７０ｄの下流端が上下方向に開口するように設けられ、下球皿４０に上下方向に開口するように設けられた下球皿球抜き路の受け口(図示せず)に重なるようになっている。
【００２９】
前記球抜き路７０には、球抜き口５４に臨む部位から閉成位置の開閉部材６２を越えて該開閉部材６２の変位方向に沿って延在する第１流路(流路)７０ａが、開閉部材６２の開放位置から閉成位置に向かう変位方向前側を開放するように設けられている(図１０参照)。すなわち、球抜き路７０は、開閉部材６２の開放位置から閉成位置に向かう変位方向前側にパチンコ球Ｂが通過可能な空間をあけるように、球抜き口５４に繋がる第１流路７０ａが形成されている。より具体的に説明すると、第１通路壁部７２の上流端は、皿状部５５における右壁５５ｄの下端右面に当接するように設けられ、第１流路７０ａを画成する内面が球抜き口５４の右側の開口縁を規定する皿状部５５の右壁５５ｄ下端に整合するようになっている(図１０参照)。第２通路壁部７４の上流端(第1流路７０ａの底面)は、球抜き口５４の左側の開口縁を規定する皿状部５５の底壁５５ａの下方に位置するように配設され、第２通路壁部７４と皿状部５５の底壁５５ａとの間の隙間を介して開閉部材６２が閉成位置から開放位置に変位される。なお、開閉部材６２は、開放位置で右側縁が球抜き口５４の左側の開口縁および第２通路壁部７４の上流端に上下に揃うようになっている(図１０(ｂ)参照)。第２通路壁部７４は、球抜き口５４の下方に臨む内面が、球抜き口５４の左側の開口縁を規定する皿状部５５の底壁５５ａ(球抜き口５４の開口面)からパチンコ球Ｂ１個分より短い寸法で離間するように延在している。球抜き口５４の右側の開口縁を規定する皿状部５５の右壁５５ｄ下端は、球抜き口５４の左側の開口縁を規定する皿状部５５の底壁５５ａより上方に位置し、該右壁５５ｄ下端に対向する第２通路壁部７４の内面と右壁５５ｄ下端との離間間隔がパチンコ球Ｂ１個分以上になるよう設定されている。このように、球抜き路７０の第１流路７０ａは、球抜き口５４を介してパチンコ球Ｂを受け入れた上流端部から開閉部材６２の閉成位置へ向かう変位方向前側に延在するように形成されており、閉成位置にある開閉部材６２の右方が開口するようになっている。
【００３０】
前記皿カバー部材８０は、上部が開放された略半椀状の部材であって、皿本体５２の皿状部５５、機構設置部５８および該機構設置部５８の前面に設けた球抜き機構６０の構成部材の前側を覆って、後縁部を前枠ベース３４の前面に突き合わせて組み付けられる(図３または図４参照)。なお、皿カバー部材８０は、前枠３０の後側から螺挿したネジにより前枠ベース３４に対して固定されている。
【００３１】
〔実施例の作用〕
次に、実施例に係るパチンコ機１０の作用について説明する。上球皿５０には、中枠２０側から払出口３０ｂを介して流入したパチンコ球Ｂが貯留部５２ａに貯留され、球整列案内部５６によって一列の横並びになった状態で球抜き口５４に到来する。球抜き口５４は、閉成位置にある開閉部材６２で塞がれているので、パチンコ球Ｂは、開閉部材６２の上面を通って球抜き口５４の後方に設けられた球送り口３６に案内され(図１０(ａ)参照)、球送り口３６から球送り装置を介して中枠２０の球発射装置２２に送り込まれる。ここで、球抜き口５４を塞ぐ開閉部材６２の上面は、球送り口３６に向けて下方傾斜しているので、パチンコ球Ｂを滞留させることなくスムーズに球送り口３６に誘導することができる。また、上球皿５０は、球抜き口５４と球送り口３６とを隣接配置して、球抜き口５４を開閉する開閉部材６２を利用して球抜き口５４を越えて球送り口３６にパチンコ球Ｂを案内する構成であるので、部品点数を増やすことなく省スペース化を図ることができる。また、開閉部材６２を左右方向にスライド変位する構成とすることで、比較的余裕がある左右方向のスペースを有効利用して前後方向の大きさをコンパクトにできる。
【００３２】
前記球抜き機構６０の球抜きボタン６４を押すことで、開閉部材６２が閉成位置から開放位置に左方へスライド変位し、球抜き口５４が開放される。これに伴い、貯留部５２ａから球送り口３６への通路を構成していた開閉部材６２が、皿状部５５の下方へ退避するので、球整列案内部５６で案内されてきたパチンコ球Ｂは、球送り口３６に送られることなく球抜き口５４から球抜き路７０に流下し、該球抜き路７０を通って下球皿４０に案内される。
【００３３】
前記球抜きボタン６４の押圧操作を解除することで、開閉部材６２が弾性部材６７の付勢によって開放位置から閉成位置に向けて変位する。ここで、開閉部材６２を閉成する際に第１流路７０ａに落ち込んだパチンコ球Ｂは、閉成位置に向かう開閉部材６２によって右方に押される(図１０(ｃ)参照)。球抜き路７０における球抜き口５４に繋がる第１流路７０ａを、開閉部材６２の閉成位置に向けた変位方向前側を開放するように形成したので、閉成位置に向かう開閉部材６２によって右方に押されたパチンコ球Ｂが、球抜き口５４の開口縁や球抜き路７０を画成する通路壁部７２,７４等と干渉することを回避できる。そして、第１流路７０ａは、閉成位置にある開閉部材６２を越えて該開閉部材６２の閉成位置に向けた変位方向前側に延在するよう形成されているので、開閉部材６２に押されたパチンコ球Ｂが流下方向に向けて案内される。このように、実施例の球抜き路７０によれば、開閉部材６２と球抜き口５４の開口縁または通路壁部７２,７４との間でパチンコ球Ｂを挟む込むことを防止でき、開閉部材６２の挟み込みによる球抜き口５４でのパチンコ球Ｂの詰まりを抑えることができる。更に、開閉部材６２は、開放位置から閉成位置への変位方向前側の上縁部を傾斜形成してテーパ形状としてあるので、パチンコ球Ｂをより挟み難くすることができる。
【００３４】
前記上球皿５０は、球抜き口５４で詰まったパチンコ球Ｂに起因する球整列案内部５６でのパチンコ球Ｂの流通阻害を回避できるので、球抜き口５４の下流側に配置される球送り口３６へスムーズにパチンコ球Ｂを送り込むことができる。このように、上球皿５０は、球抜き口５４でのパチンコ球Ｂの詰まりを抑えることができる構成であるので、球抜き口５４と球送り口３６とを隣接させて設けることができ、球抜き口５４を塞ぐ開閉部材６２を利用して貯留部５２ａのパチンコ球Ｂを球送り口３６へ円滑に案内することができる。
【００３５】
(変更例)
なお、遊技機の構成としては、実施例のものに限らず、種々の変更が可能である。
(１)球抜き路の形状は、開閉部材の開放位置から閉成位置への変位方向前側にパチンコ球が逃げることができる空間が開放されていれば、特に限定されない。
(２)実施例の球抜き口は、貯留部に上下方向に開口するように設けたが、前後方向または左右方向に開口する構成であってもよい。
(３)実施例の球送り口は、貯留部に前後方向に開口するように設けたが、上下方向または左右方向に開口する構成であってもよい。
(４)実施例の開閉部材は、左右方向にスライド変位する構成であるが、左右方向に開口する球抜き口に対して前後方向に変位する構成であっても、前後方向に開口する球抜き口に対して左右方向に変位する構成であってもよい。
(５)開閉部材は、スライド変位に限定されず、回動またはその他の動作を行ってもよい。
(６)実施例では、球抜き口と球送り口とを隣接させて配置したが、別々に離して配置してもよい。
(７)球抜き機構は、リンク手段を介在させた構成に限定されず、開閉部材を直接動作させる構成であっても、ソレノイド等のアクチュエータを用いて開閉部材を動作させてもよい。
(８)実施例では、本発明を実施する遊技機としてパチンコ機を例示して説明したが、これに限定されるものではなく、球皿から球抜きを行うよう構成した遊技機であれば、アレンジボール機等の従来公知の各種遊技機に対しても好適に採用し得る。
【符号の説明】
【００３６】
１０  遊技機
２２  球発射装置
３６  球送り口
５２  皿本体
５２ａ  貯留部
５４  球抜き口
６２  開閉部材
７０  球抜き路
７０ａ  第１流路
７０ｂ  第２流路
７０ｃ  第３流路
７２  第１通路壁部(通路壁部)
Ｂ  パチンコ球(遊技球)
【図１】
0005550184.tif 000002
【図２】
0005550184.tif 000003
【図３】
0005550184.tif 000004
【図４】
0005550184.tif 000005
【図５】
0005550184.tif 000006
【図６】
0005550184.tif 000007
【図７】
0005550184.tif 000008
【図８】
0005550184.tif 000009
【図９】
0005550184.tif 000010
【図１０】
0005550184.tif 000011